(57)【要約】【課題】  隣接ケーブル間でのクロストークを防止することができ、しかも保持しているケーブルの脱落を確実に防止することができ、ケーブルの保持を簡単に行うことが可能な構造のケーブル保持装置とする。【解決手段】  壁部１４、１５によって区切られて円周上に形成されたケーブル２０を個々に嵌め込むための複数のケーブル保持溝１６と、壁部１４、１５から両側のケーブル保持溝１６の方向に延びて両側のケーブル保持溝１６を覆う複数のカバー部１７とを有すると共に、カバー部１７の間が開口されることによりケーブル２０の嵌め込み口１８となっている保持ブロック１１、１２を複数備える。複数の保持ブロック１１、１２がケーブル２０の長さ方向に離隔されて配置されている。【選択図】          図１
2005204374.tif 000002
【特許請求の範囲】
【請求項１】
壁部によって区切られて円周上に形成され、ケーブルを個々に嵌め込むための複数のケーブル保持溝と、前記壁部から両側のケーブル保持溝の方向に延びて両側のケーブル保持溝を覆う複数のカバー部とを有すると共に、カバー部の間が開口されることによりケーブルの嵌め込み口となっている保持ブロックを複数備え、複数の保持ブロックがケーブルの長さ方向に離隔されて配置されていることを特徴とするケーブル保持装置。
【請求項２】
前記複数の保持ブロックは、嵌め込み口が円周上のずれた位置となるように離隔されていることを特徴とする請求項１記載のケーブル保持装置。
【請求項３】
同一方向に延びる複数の壁部が間隔を有して横並び状に形成され、ケーブルが個々に嵌め込まれる一端側が開放状態のケーブル保持溝が壁部の間に形成されており、前記壁部が相互に接近するように丸められることを特徴とするケーブル保持装置。
【発明の詳細な説明】
【技術分野】
【０００１】
本発明は、現場でのケーブルの敷設に用いられるケーブル保持装置に関する。
【背景技術】
【０００２】
近年、高い周波数を利用した音声信号やデータ信号の伝達能力を向上させるために、ツイスト処理されたペアのケーブル部材が用いられている。図７は、ツイスト処理された４対ツイストケーブル２が、既に６本組み込まれているバンドルケーブルを示す。
【０００３】
図８は、４対ツイストケーブルを現場で敷設する構造を示し、４対ツイストケーブル２を横並びとし、横並びのケーブルを段積みし、敷設するようになっている。
【０００４】
しかしながら、これらの図７及び図８に示す構造では、積層を行うことにより、下段側の４対ツイストケーブル２に上段側の４対ツイストケーブル２の荷重による圧力が作用して、下段側の４対ツイストケーブル２が潰れ方向に圧縮される。このため、隣接するペアケーブルの間でクロストーク（漏話）現象が発生する問題を有している。
【０００５】
図９は、この問題を解決するため、特開２００１−３２７０５３号公報に開示された従来のケーブル保持装置３を示す。このケーブル保持装置３は、円周上に所定のピッチで形成された複数の壁部４の間をＵ字形に窪ませることによりケーブル保持溝５を複数形成するものである。それぞれのケーブル保持溝５は外周側が開放されており、開放された部分からケーブル２が嵌め込まれることにより、ケーブル２を個々に保持するようになっている。このケーブル保持装置３は、全体がプラスチックによって形成されている。
【０００６】
このようなケーブル保持装置３では、ケーブル２を保持するケーブル保持溝５が壁部４によって区切られた状態となっているため、段積みによる荷重が作用してもケーブル２が潰れたり、圧縮されることがなく、隣接するケーブルの間でのクロストークを防止することが可能となっている。
【特許文献１】特開２００１−３２７０５３号公報
【発明の開示】
【発明が解決しようとする課題】
【０００７】
しかしながら、図９に示す従来のケーブル保持装置３では、保持されているケーブル２がケーブル保持溝５から脱落し易く、脱落によってケーブル敷設作業が中断し、その作業性が低下する問題を有している。このため、バンドをケーブル保持装置３の外周に巻き付けることが行われるが、部品点数が多くなるばかりでなく、バンドを巻き付けるための作業が別途必要となり、作業が煩雑となる新たな問題が発生する。
【０００８】
本発明は、このような従来の問題点を考慮してなされたものであり、バンドルケーブルを現場で敷設する場合に、隣接ケーブル間でのクロストークを防止することができるだけでなく、保持しているケーブルの脱落を確実に防止することができ、しかもケーブルの保持を簡単に行うことが可能な構造のケーブル保持装置を提供することを目的とする。
【課題を解決するための手段】
【０００９】
上記目的を達成するため、請求項１の発明のケーブル保持装置は、壁部によって区切られて円周上に形成され、ケーブルを個々に嵌め込むための複数のケーブル保持溝と、前記壁部から両側のケーブル保持溝の方向に延びて両側のケーブル保持溝を覆う複数のカバー部とを有すると共に、カバー部の間が開口されることによりケーブルの嵌め込み口となっている保持ブロックを複数備え、複数の保持ブロックがケーブルの長さ方向に離隔されて配置されていることを特徴とする。
【００１０】
請求項１の発明では、複数の保持ブロックに対し、その嵌め込み口からケーブルをケーブル保持溝に嵌め込むことにより、複数の保持ブロックに掛け渡された状態となってケーブルが保持される。この場合、保持ブロックには、複数のケーブル保持溝が形成されているため、複数のケーブルを同時に保持することができる。
【００１１】
ケーブルの保持にあっては、ケーブル保持溝が壁部によって区切られているため、段積みによる荷重が作用してもケーブルが圧縮されたり、潰れたりすることがなく、隣接するケーブルの間でのクロストークを防止することができる。また、保持されたケーブルに対しては、ケーブル保持溝を覆うカバー部が外側から係合してケーブル保持溝からの抜け出しを阻止する。このため、ケーブルの脱落を確実に防止することができる。しかも、ケーブルの保持は、ケーブル保持溝にケーブルを嵌め込むだけで良く、簡単に行うことができるだけなく、バンド等を用いる必要がないため、作業が繁雑となることがない。
【００１２】
請求項２の発明は、請求項１記載のケーブル保持装置であって、前記複数の保持ブロックは、嵌め込み口が円周上のずれた位置となるように離隔されていることを特徴とする。
【００１３】
このように複数の保持ブロックの嵌め込み口が円周上でずれることにより、複数の保持ブロックにおけるカバー部が逆向きとなってケーブルに係合してその抜け出しを阻止する。このため、ケーブルの脱落をさらに確実に防止することができる。
【００１４】
請求項３の発明のケーブル保持装置は、同一方向に延びる複数の壁部が間隔を有して横並び状に形成され、ケーブルが個々に嵌め込まれる一端側が開放状態のケーブル保持溝が壁部の間に形成されており、前記壁部が相互に接近するように丸められることを特徴とする。
【００１５】
請求項３の発明では、壁部が横並び状となった展開状態で、それぞれのケーブル保持溝にケーブルを個々に嵌め込み、その後、壁部が相互に接近するように丸めることにより、バンドルケーブルを敷設することができる。
【００１６】
請求項３の発明において、全体を丸めた状態では、ケーブル保持溝が壁部によって区切られているため、個々に独立した状態となっており、保持しているケーブルに直接に負荷が加わることがなく、ケーブル保持装置を段積みしても、ケーブル保持溝内のケーブルが圧縮されることがない。従って、隣接ケーブルの間でのクロストークを防止することができる。
【００１７】
また、全体を丸めた状態では、ケーブルが外側に抜け出ることがないため、ケーブルが脱落することがない。しかも、ケーブル保持溝へのケーブルの嵌め込みと、全体の丸めとによってケーブルの保持を行うため、ケーブルの保持を簡単に行うことができると共に、バンド等を用いる必要がないため、作業が繁雑となることがない。
【発明の効果】
【００１８】
本発明のケーブル保持装置によれば、ケーブル保持溝にケーブルを嵌め込むだけで、ケーブルの保持を行うことができるため、作業性が向上すると共に脱落を防止した保持を行うことができる。また、壁部によって区切られているケーブル保持溝にケーブルが保持されるため、荷重が作用しても圧縮されたり、潰れることがなく、隣接ケーブルの間でのクロストークを防止することができる。
【発明を実施するための最良の形態】
【００１９】
図１〜図３は、本発明の一実施の形態のケーブル保持装置１０を示し、一対の保持ブロック１１、１２を備えている。一対の保持ブロック１１、１２は、一方向に延びる芯部１３の両端部に位置するように離隔された状態で芯部１３と一体的に形成されるものである。
【００２０】
芯部１３の外周には、円周方向で所定間隔に離隔された複数（６個）の壁部１４、１５が形成されている。壁部１４、１５は、芯部１３の長さ方向に沿って延びるものである。このように芯部１３の長さ方向に沿うことにより、壁部１４、１５は芯部１３の両端部に位置した保持ブロック１１、１２の構成部材となっている。
【００２１】
各保持ブロック１１、１２には、複数のケーブル保持溝１６が形成されている。ケーブル保持溝１６は、芯部１３の外周側を円弧状に窪ませることにより、壁部１４、１５の間に形成されている。このため、ケーブル保持溝１６は壁部１４、１５によって区切られた状態となっている。このように壁部１４、１５が芯部１３の円周上に形成され、且つケーブル保持溝１６が壁部１４、１５の間に形成されることから、ケーブル保持溝１６は壁部１４、１５と同数となっている。
【００２２】
個々のケーブル保持溝１６はケーブル２０が嵌め込まれることによりケーブル２０を保持するものであり、このため、ケーブル保持溝１６の曲率は、ケーブル２０の外径に合わせて設定される。
【００２３】
さらに、各保持ブロック１１、１２には、カバー部１７が形成されている。カバー部１７は、芯部１３の外周に形成されている壁部に対して一個おきに形成されるものであり、この実施の形態では、壁部１４の間に位置する壁部１５に対して形成されている。
【００２４】
カバー部１７は、壁部１５を径方向に幾分延長し、且つ延長端部を円周の両側方向に沿って延ばすことにより形成されるものであり、これにより一の壁部１５におけるカバー部１７は、その壁部１５の両側に位置するケーブル保持溝１６の外側を覆うようになっている。このようにカバー部１７がケーブル保持溝１６の外側を覆うことにより、カバー部１７はケーブル保持溝１６に嵌め込まれたケーブル２０に外側から係合するため、ケーブル保持溝１６からのケーブル２０の抜け出しを防止するように作用する。
【００２５】
一の壁部１５から両側に延びているカバー部１７と他の壁部１５から延びて隣接する壁部１７との間には、開口が形成されており、この開口がケーブル２０の嵌め込め口１８となっている。このように、隣接するカバー部１７の間が嵌め込み口１８となっていることにより、一の嵌め込み口１８は、カバー部１７で覆われて隣接したケーブル保持溝１６の共通の嵌め込み口となるものである。
【００２６】
以上の構造から、芯部１３の両端の保持ブロック１１、１２は、複数の壁部１４、１５と、壁部１４、１５によって区切られた複数のケーブル保持溝１６と、それぞれの保持溝１６の外側を覆うカバー部１７とを有するものである。なお、ケーブル保持装置１０は、その全体を樹脂によって形成するものであり、これにより軽量化ができ、取り扱い性が向上する。
【００２７】
この実施の形態において、離隔されている一対の保持ブロック１１、１２は、ケーブル２０の嵌め込み口１８が円周上のずれた位置となるように配置されるものである。すなわち、一方の保持ブロック１１における嵌め込み口１８は、その芯部１３に沿った延長線が他方の保持ブロック１２における壁部１５に対応するように配置されるものである。これにより、一対の保持ブロック１１、１２のケーブル保持溝１６を通してケーブル２０を保持した場合には、図２に示すように、一対の保持ブロック１１、１２におけるカバー部１７が逆向きとなってケーブル２０に係合することができる。
【００２８】
次に、この実施の形態におけるケーブル２０の保持作業を説明する。なお、ケーブル２０としては、４対ツイストケーブル、その他の通信ケーブルを使用することができる。
【００２９】
図１に示すように、保持ブロック１１、１２におけるずれた位置の嵌め込み口１８を掛け渡すようにケーブル２０を斜め状態とし、この状態で保持ブロック１１、１２の嵌め込み口１８からケーブル２０を嵌め入れる。そして、図２に示すように、保持ブロック１１、１２の同じ円周上に位置しているケーブル保持溝１６にケーブル２０を嵌め込む。この操作を全てのケーブル保持溝１６に対して行うことにより、図３に示すように複数のケーブル２０の保持を行う。保持されたケーブル２０は、一対の保持ブロック１１、１２に掛け渡した状態となる。
【００３０】
このような操作では、ケーブル２０をケーブル保持溝１６に嵌め込むだけで良く、簡単に行うことができると共に、バンド等の他の部材を用いる必要がないため、作業が繁雑となることがない。
【００３１】
また、ケーブル２０の保持では、ケーブル保持溝１６が壁部１４、１５によって区切られているため、ケーブル保持装置１０を段積みして荷重が作用してもケーブル２０が圧縮されたり、潰れたりすることがない。このため、ケーブル２０の特性を保持することができるばかりでなく、隣接するケーブル２０の間でのクロストークを防止することができる。
【００３２】
さらに、ケーブル保持溝１６に保持されたケーブル２０に対しては、カバー部１７が外側から係合してケーブル保持溝１６からの抜け出しを阻止するため、ケーブル２０の脱落を確実に防止することができる。
【００３３】
特に、この実施の形態では、一対の保持ブロック１１、１２の嵌め込み口１８が円周上でずれているため、保持ブロック１１、１２におけるカバー部１７が逆向きとなってケーブル２０に係合してその抜け出しを阻止する。このため、ケーブル２０の脱落をさらに確実に防止することができる。
【００３４】
図４は、この実施の形態のケーブル保持装置１０を用いることにより、バンドルケーブルを現場で敷設した状態を示す。この場合には、ケーブル２０として４対ツイストケーブルが用いられる。ケーブル保持装置１０は、ケーブル２０の長さ方向における適宜の箇所を保持することによりケーブル２０を束ねるように作用する。このような敷設構造では、ケーブル２０に対する曲げを行い易く、敷設が容易となるメリットがある。
【００３５】
ケーブル保持装置１０を用いてケーブル２０を敷設する場合、図４に示すように、ケーブル保持装置１０の間でケーブル２０をクロスさせることが良好である。符号２１は、ケーブル２０のクロス部分を示す。このようにケーブル２０をクロスさせることにより、ケーブル２０が平行で重なることがなく、且つケーブル２０の間の離隔を保持できるため、クロストークをさらに効果的に防止することができる。
【００３６】
なお、この実施の形態では、保持ブロック１１、１２における嵌め込み口１８を円周上の同一位置に設けても良く、保持ブロックを３個以上配置しても良い。
【００３７】
図５及び図６は、本発明の別の実施の形態におけるケーブル保持装置３１を示し、図５は展開状態、図６は丸めた状態である。
【００３８】
この実施の形態のケーブル保持装置３１は、図５に示すように、横長の連設部３２と、連設部３２の長さ方向に設けられた複数の壁部３３と、壁部３３の間に形成された複数のケーブル保持溝３４とを有しており、全体が樹脂によって形成されている。
【００３９】
複数の壁部３３は、間隔を有した状態で連設部３２に横並び状に形成されている。また、複数の壁部３３は、連設部３２から同一の方向に延びている。ケーブル保持溝３４は、隣接している壁部３３の間を円弧状に窪ませることにより形成される。ケーブル保持溝３４はケーブル２０が嵌め込まれるものであり、ケーブル２０の外径と同程度の径を有した円弧状に形成されている。
【００４０】
それぞれのケーブル保持溝３４は先端側が開放状態となっており、開放部分がケーブル２０の嵌め込み口３８となっている。なお、各壁部３３における先端部分３３ａは、壁部３３における他の部分に比べて横方向に長くなっている。これにより、壁部３３の外側部分３３ａは、ケーブル保持溝３４に嵌め込まれたケーブル２０を周囲から押え付けて抜け止めを行う抜け止め部として作用する。
【００４１】
連設部３２の両端部には、相互に嵌合する突起部３５及び孔部３６が対応位置に形成されている。そして、突起部３５が対応した孔部３６に嵌合することにより、連設部３２の丸め状態を保持することができる（図６参照）。
【００４２】
この実施の形態では、図５に示す展開状態で、各ケーブル保持溝３４にケーブル２０を嵌め込む。なお、ケーブル２０としては、４対ツイストケーブルが使用されているが、他の通信ケーブルであっても良い。ケーブル２０の嵌め込みは、開放状態の嵌め込み口３８から行う。この嵌め込みにおいては、横長の展開状態となっているため、各ケーブル保持溝３４に対して、順次嵌め込みを行うことができる。従って、作業性が向上する。
【００４３】
ケーブル２０の嵌め込みの後、図６に示すように、壁部３３が相互に接近する方向に沿って連設部３２を丸める。連設部３２の丸めによって、連設部３２は円柱状となる。そして、突起部３５を孔部３６に嵌め込むことにより、この状態を保持することができる。かかる連設部３２の丸め作業においては、壁部３３の外側部分３３ａによってケーブル２０の抜け止めがなされているため、ケーブル２０が不用意に脱落することがない。
【００４４】
この実施の形態では、連設部３２を丸めた状態においても、壁部３３によってケーブル保持溝３４が区切られて独立した状態となっているため、ケーブル２０に直接に負荷が加わることがなくケーブルの特性を保持することができる。また、これによりケーブル保持装置３１を積み重ねても、下段側のケーブル２０が圧縮されることがないため、クロストークを防止することができる。
【００４５】
さらに、展開状態に対するケーブル保持溝３４へのケーブル２０の嵌め込みと、ケーブル保持装置３１全体の丸めとによってケーブル２０の保持を行うため、ケーブル２０の保持を簡単に行うことができると共に、バンド等を用いる必要がないため、作業が繁雑となることがない。
【図面の簡単な説明】
【００４６】
【図１】本発明の一実施の形態におけるケーブル保持装置の斜視図である。
【図２】ケーブル保持装置へのケーブルの装着を示す斜視図である。
【図３】全てのケーブルを装着した状態を示す斜視図である。
【図４】ケーブルの敷設状態を示す側面図である。
【図５】別の実施の形態におけるケーブル保持装置の展開状態の側面図である。
【図６】別の実施の形態におけるケーブル保持装置を丸めた状態の側面図である。
【図７】ケーブルの敷設構造を示す斜視図である。
【図８】ケーブルの別の敷設構造を示す斜視図である。
【図９】従来のケーブル保持装置を示す斜視図である。
【符号の説明】
【００４７】
１０、３１        ケーブル保持装置
１１、２０        保持ブロック
１４、１５、３３  壁部
１６、３４        ケーブル保持溝
１７              カバー部
１８、３８        嵌め込み口
２０              ケーブル
【図１】
2005204374.tif 000003
【図２】
2005204374.tif 000004
【図３】
2005204374.tif 000005
【図４】
2005204374.tif 000006
【図５】
2005204374.tif 000007
【図６】
2005204374.tif 000008
【図７】
2005204374.tif 000009
【図８】
2005204374.tif 000010
【図９】
2005204374.tif 000011